(57)【要約】【課題】  シリアルインターフェースのデータ送受信に使用される信号線が占有状態であっても、音声通信に必要な呼制御信号の送受信が可能な音声通信システム、及び音声通信方法を提供する。【解決手段】  端末と、前記端末に端末側シリアルインターフェースと通信装置側シリアルインターフェースを介して接続され、ネットワークを介して受信する音声通信データを前記通信装置側シリアルインターフェースを介して前記端末に出力する通信装置とを具備し、前記通信装置側シリアルインターフェースはデータ送信用信号線とデータ受信用信号線とを含む複数の信号線を有し、前記通信装置は、前記データ送信用信号線が前記端末と通信継続中にネットワークを介して受信した通信制御信号を、他の信号線を介して前記端末に通知する様に構成された音声通信システムを用いる。【選択図】        図１
2005045667.tif 000002
【特許請求の範囲】
【請求項１】
端末と、
前記端末にシリアルインターフェースを介して接続され、ネットワークを介して受信する音声通信データを前記シリアルインターフェースを介して前記端末に出力する通信装置と、
を具備し、
前記シリアルインターフェースはデータ送信用信号線とデータ受信用信号線とを含む複数の信号線を有し、
前記通信装置は、前記データ送信用信号線が前記端末と通信継続中にネットワークを介して受信した通信制御信号を、他の信号線を介して前記端末に通知する
音声通信システム。
【請求項２】
請求項１に記載の音声通信システムにおいて、
前記通信装置は、前記データ送信用信号線と前記データ受信用信号線の各々が前記端末と通信継続中に、前記ネットワークを介して受信した通信制御信号を、前記他の信号線を介して前記端末に通知する
音声通信システム。
【請求項３】
請求項２に記載の音声通信システムにおいて、
前記端末は、前記データ送信用信号線と前記データ受信用信号線の少なくとも一方が前記端末と通信継続中に前記他の信号線を介して通知された通信制御信号に応答して、前記ネットワークを介して送受信される音声通信データの通信経路を確立する
音声通信システム。
【請求項４】
請求項１に記載の音声通信システムにおいて、
前記通信装置は、通信部と処理部とを含み、
前記通信部は、前記ネットワークを介して前記通信制御信号の受信に応答して、受信通知を前記処理部に出力し、
前記処理部は、前記出力に応答して前記データ送信用信号線の通信状況を検出し、
前記検出の結果、前記データ送信用信号線が通信継続中の場合、前記通信装置は前記他の信号線を介して前記通信制御信号を前記端末に通知する
音声通信システム。
【請求項５】
請求項４に記載の音声通信システムにおいて、
前記処理部は、前記出力に応答して前記データ送信用信号線と前記データ受信用信号線の各々の通信状況を検出し、
前記データ送信用信号線と前記データ受信用信号線の各々が前記端末と通信継続中の場合、前記ネットワークを介して受信した通信制御信号を、前記他の信号線を使用して前記端末に通知する
音声通信システム。
【請求項６】
請求項５に記載の音声通信システムにおいて、
前記端末は、通信制御部を含み、
前記通信制御部は、前記端末のデータ送信用信号線と前記データ受信用信号線の少なくとも一方が前記通信装置と通信継続中に、前記他の信号線を使用して通知された通信制御信号に応答して、前記ネットワークを介して送受信される音声通信データの通信経路の確立を制御する
音声通信システム。
【請求項７】
請求項１乃至６の何れか１項に記載の音声通信システムにおいて、
前記複数の信号線はＣＤ信号線を含み、
前記通信装置は、前記通信制御信号を前記ＣＤ信号線を使用して前記端末に通知する
音声通信システム。
【請求項８】
請求項７に記載の音声通信システムにおいて、
前記複数の信号線はＤＳＲ信号線を含み、
前記通信装置は、前記通信制御信号を前記ＣＤ信号線を使用して前記端末に通知し、他の通信制御信号を前記ＤＳＲ信号線を使用して前記端末に通知する
音声通信システム。
【請求項９】
請求項８に記載の音声通信システムにおいて、
前記通信制御信号が相手応答であり、前記他の通信制御信号が相手切断である
音声通信システム。
【請求項１０】
請求項９に記載の音声通信システムにおいて、
前記通信装置は、前記相手応答を前記ＣＤ信号線を使用して前記端末に通知し、前記相手切断を前記ＤＳＲ信号線を使用して前記端末に通知し、
前記端末は、前記相手応答および前記相手切断の少なくとも一方の受信に応答して前記音声データの送受信に使用される通信経路の確立を制御する
音声通信システム。
【請求項１１】
ネットワークを介して受信音声データを受信するステップと、
前記ネットワークを介して送信音声データを送信するステップと、
前記受信音声データをデータ送信用信号線を介して端末に送信するステップと、
前記送信音声データをデータ受信用信号線を介して前記端末から受信するステップと、
前記データ送信用信号線が通信継続中にネットワークを介して通信制御信号を受信するステップと、
前記通信制御信号を他の信号線を使用して前記端末に通知するステップと
を具備する方法をコンピュータで実行可能な音声通信プログラム。
【請求項１２】
請求項１１に記載の音声通信プログラムにおいて、
前記データ送信用信号線と前記データ受信用信号線の各々が前記端末と通信継続中に、前記ネットワークを介して通信制御信号を受信するステップと、
前記通信制御信号を前記他の信号線を介して前記端末に通知するステップと
を具備する方法をコンピュータで実行可能な音声通信プログラム。
【請求項１３】
請求項１２に記載の音声通信プログラムにおいて、
前記データ送信用信号線と前記データ受信用信号線の少なくとも一方が通信継続中に前記他の信号線を使用して通知された通信制御信号に応答して、前記ネットワークを介して送受信される音声通信データの通信経路を確立するステップと
を具備する方法をコンピュータで実行可能な音声通信プログラム。
【請求項１４】
請求項１１に記載の音声通信プログラムにおいて、
通信装置は前記ネットワークを介して通信制御信号を受信するステップと、
前記通信制御信号を処理部に出力するステップと、
前記処理部が、前記出力に応答して前記データ送信用信号線の通信状況を検出するステップと、
前記データ送信用信号線が通信継続中の場合、前記通信装置は前記他の信号線を使用して前記通信制御信号を前記端末に通知するステップと
を具備する方法をコンピュータで実行可能な音声通信プログラム。
【請求項１５】
請求項１４に記載の音声通信プログラムにおいて、
前記処理部は、前記出力に応答して前記データ送信用信号線と前記データ受信用信号線の各々の通信状況を検出するステップと、
前記検出の結果、前記データ送信用信号線と前記データ受信用信号線の各々が前記端末と通信継続中の場合、前記ネットワークを介して受信した通信制御信号を、前記他の信号線を使用して前記端末に通知するステップと
を具備する方法をコンピュータで実行可能な音声通信プログラム。
【請求項１６】
請求項１５に記載の音声通信プログラムにおいて、
前記データ送信用信号線と前記データ受信用信号線の少なくとも一方が前記端末と通信継続中に前記他の信号線を使用して送信された通信制御信号を受信するステップと、
前記受信に応答して、前記ネットワークを介して送受信される音声通信データの通信経路の確立を制御するステップと
を具備する方法をコンピュータで実行可能な音声通信プログラム。
【請求項１７】
請求項１１乃至１６の何れか１項に記載の音声通信プログラムにおいて、
前記通信装置は、前記通信制御信号をＣＤ信号線を使用して前記端末に通知するステップと
を具備する方法をコンピュータで実行可能な音声通信プログラム。
【請求項１８】
請求項１７に記載の音声通信プログラムにおいて、
前記通信装置は、前記通信制御信号を前記ＣＤ信号線を使用して前記端末に通知するステップと、
他の通信制御信号を前記ＤＳＲ信号線を使用して前記端末に通知するステップと
を具備する方法をコンピュータで実行可能な音声通信プログラム。
【請求項１９】
請求項１８に記載の音声通信プログラムにおいて、
前記通信制御信号が相手応答であり、前記他の通信制御信号が相手切断である
コンピュータで実行可能な音声通信プログラム。
【請求項２０】
請求項１９に記載の音声通信プログラムにおいて、
前記相手応答を前記ＣＤ信号線を使用して前記端末に通知するステップと、
前記相手切断を前記ＤＳＲ信号線を使用して前記端末に通知するステップと、
前記相手応答および前記相手切断の少なくとも一方の受信に応答して前記音声データの送受信に使用される通信経路の確立を制御するステップと
を具備する方法をコンピュータで実行可能な音声通信プログラム。
【発明の詳細な説明】
【技術分野】
【０００１】
本発明は、外部接続された通信装置を使用して音声通信することが可能な端末と、その端末に接続可能な通信装置との間で行われる情報通信技術に関する。
【背景技術】
【０００２】
ＰＤＡ（Personal Digital Assistant）等の携帯情報端末は、データ通信を行うカード型の装置（以下、通信モジュールと呼ぶ。）をカードスロットに接続することで、ネットワークを介して情報通信を行うことを可能になる。ネットワークを介して行われる音声通信に使用される通信制御信号に対応して音声通信を制御する技術が知られている。（例えば、特許文献１参照。）。カードスロットに接続された通信モジュールは、外部ネットワークを介して受信した通信データをシリアルインターフェースを介して携帯情報端末に送信する。通常、通信モジュールは音声コーデックを備えていない。音声コーデックを備えていない通信モジュールを携帯情報端末に接続し、その通信モジュールを使用して音声通信を行う場合、送受信される音声データの符号化・復号化は携帯情報端末側で行われる。
【０００３】
音声コーデックを備えていない通信モジュールを携帯情報端末に接続し、その通信モジュールを使用して音声通信を行う場合、通信モジュールが受信した音声データはシリアルインターフェースを介して携帯情報端末の音声入出力モジュールに送信される。音声入出力モジュールと通信モジュールは上記のシリアルインターフェースを介して情報通信を行う。通信モジュールからの音声データ送信は通信モジュール側ＴＸ信号線を介し、音声入出力モジュール側ＲＸ信号線に送信される。音声入出力モジュールからの音声データ送信は音声入出力モジュール側ＴＸ信号線を介し通信モジュール側ＲＸ信号線に送信される。
【０００４】
音声データ送受信にＴＸ信号線、ＲＸ信号線を使用して音声データ通信を実現することで、シリアルインターフェースを使用して双方向のデータ通信が可能になる。電話などを使用した音声通信と比較して違和感の無い音声通信の実現が可能になる。
【０００５】
通信モジュールと音声入出力モジュールとがシリアルインターフェースを介して情報通信を行うシステムにおいて、通信モジュールがネットワークを介して送信された音声データを受信し、その受信した音声データをＴＸ信号線を使用して音声入出力モジュールに送信し、同時に、通信モジュールが音声入出力モジュールから送信された音声データ受信にＲＸ信号線を使用して音声通信を行っているため、データ送受信に使用される信号線が占有状態になっている場合でも、呼制御信号の送受信が可能な音声通信システムが望まれる。
【特許文献１】特開平５−７５７０８号公報
【発明の開示】
【発明が解決しようとする課題】
【０００６】
本発明の課題は、シリアルインターフェースのデータ送受信に使用される信号線が占有状態であっても、音声通信に必要な呼制御信号の送受信が可能な音声通信システム、及び音声通信方法を提供することにある。
【課題を解決するための手段】
【０００７】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【０００８】
端末（２）と、前記端末（２）に端末側シリアルインターフェース（２１）と通信装置側シリアルインターフェース（２１）を介して接続され、ネットワークを介して受信する音声通信データを前記通信装置側シリアルインターフェース（１５）を介して前記端末（２）に出力する通信装置（１）とを具備し、前記通信装置側シリアルインターフェース（１５）はデータ送信用信号線（１５２）とデータ受信用信号線（１５１）とを含む複数の信号線を有し、前記通信装置（１）は、前記データ送信用信号線（１５２）が前記端末（２）と通信継続中にネットワークを介して受信した通信制御信号（Ｓ３６、Ｓ４１）を、他の信号線（１５５）を介して前記端末（２）に通知する様に構成された音声通信システムを用いる。
【０００９】
その音声通信システムにおいて、前記通信装置（１）は、前記データ送信用信号線（１５２）と前記データ受信用信号線（１５１）の各々が前記端末（２）と通信継続中に、前記ネットワークを介して受信した通信制御信号（Ｓ３６、Ｓ４１）を、前記他の信号線（１５５、１５４）を介して前記端末（２）に通知する様に音声通信システムを構成する。
【００１０】
その音声通信システムにおいて、さらに、前記端末（２）は、前記データ送信用信号線（１５２）と前記データ受信用信号線（１５１）の少なくとも一方が前記端末（２）と通信継続中に前記他の信号線（１５５、１５４）を介して通知された通信制御信号（Ｓ３６、Ｓ４１）に応答して、前記ネットワークを介して送受信される音声通信データの通信経路を確立する様に音声通信システムを構成する。
【００１１】
その音声通信システムにおいて、さらに、前記通信装置（１）は、通信部（１３）と処理部（１４）とを含み、前記通信部（１３）は、前記ネットワークを介して前記通信制御信号を受信し、前記通信制御信号の受信通知を前記処理部（１４）に出力し、
前記処理部（１４）は、前記出力に応答して前記データ送信用信号線（１５２）の通信状況を検出し、前記検出の結果、前記データ送信用信号線（１５２）が通信継続中の場合、前記通信装置（１）は前記他の信号線（１５５）を介して前記通信制御信号を前記端末（２）に通知する様に音声通信システムを構成する。
【００１２】
その音声通信システムにおいて、さらに、前記処理部（１４）は、前記受信通知に応答して前記データ送信用信号線（１５２）と前記データ受信用信号線（１５１）の各々の通信状況を検出し、前記検出の結果、前記データ送信用信号線（１５２）と前記データ受信用信号線（１５１）の各々が前記端末（２）と通信継続中の場合、前記通信装置は前記ネットワークを介して受信した通信制御信号（Ｓ３６、Ｓ４１）を、前記他の信号線（１５４）を使用して前記端末（２）に通知する様に音声通信システムを構成する。
【００１３】
その音声通信システムにおいて、さらに、前記端末（２）は、通信制御部（２５）を含み、前記通信制御部は、前記データ送信用信号線（２１１）と前記データ受信用信号線（２１２）の少なくとも一方が前記通信装置（１）と通信継続中に前記他の信号線を使用して通知された通信制御信号（Ｓ３６、Ｓ４１）に応答して、前記ネットワークを介して送受信される音声通信データの通信経路の確立を制御する様に音声通信システムを構成する。
【００１４】
その音声通信システムにおいて、前記複数の信号線はＣＤ信号線を含み、前記通信装置（１）は、前記通信制御信号（Ｓ３６、Ｓ４１）を前記ＣＤ信号線を使用して前記端末（２）に通知するする様に音声通信システムを構成する。
【００１５】
その音声通信システムにおいて、前記複数の信号線はＤＳＲ信号線を含み、前記通信装置（１）は、前記通信制御信号（Ｓ３６、Ｓ４１）を前記ＣＤ信号線を使用して前記端末（２）に通知し、他の通信制御信号（Ｓ３６、Ｓ４１）を前記ＤＳＲ信号線を使用して前記端末（２）に通知する様に音声通信システムを構成する。
【００１６】
その音声通信システムにおいて、前記通信制御信号（Ｓ３６、Ｓ４１）が相手応答であり、前記他の通信制御信号（Ｓ３６、Ｓ４１）が相手切断である様に音声通信システムを構成する。
【００１７】
その音声通信システムにおいて、前記通信装置（１）は、前記相手応答を前記ＣＤ信号線を使用して前記端末（２）に通知し、前記相手切断を前記ＤＳＲ信号線を使用して前記端末（２）に通知し、前記端末（２）は、前記相手応答および前記相手切断の少なくとも一方の受信に応答して前記音声データの送受信に使用される通信経路の確立を制御する様に音声通信システムを構成する。
【００１８】
ネットワークを介して音声データを受信するステップと、前記ネットワークを介して音声データを送信するステップと、前記受信音声データをデータ送信用信号線（１５２）を介して端末（２）に送信するステップと、前記送信音声データをデータ受信用信号線（１５１）を介して前記端末（２）から受信するステップと、前記データ送信用信号線が通信継続中にネットワークを介して通信制御信号（Ｓ３６、Ｓ４１）を受信するステップと、前記通信制御信号（Ｓ３６、Ｓ４１）を他の信号線を使用して前記端末（２）に通知するステップとを具備する方法をコンピュータで実行可能な音声通信プログラムを用いて音声通信システムを運用する。
【００１９】
その音声通信プログラムにおいて、前記データ送信用信号線（１５２）と前記データ受信用信号線（１５１）の各々が前記端末（２）と通信継続中に、前記ネットワークを介して通信制御信号（Ｓ３６、Ｓ４１）を受信するステップと、前記通信制御信号（Ｓ３６、Ｓ４１）を前記他の信号線を介して前記端末（２）に通知するステップとを具備する方法をコンピュータで実行可能な音声通信プログラムを用いて音声通信システムを運用する。
【００２０】
その音声通信プログラムにおいて、前記データ送信用信号線（１５２）と前記データ受信用信号線（１５１）の少なくとも一方が通信継続中に前記他の信号線を使用して通知された通信制御信号（Ｓ３６、Ｓ４１）に応答して、前記ネットワークを介して送受信される音声通信データの通信経路を確立するステップとを具備する方法をコンピュータで実行可能な音声通信プログラムを用いて音声通信システムを運用する。
【００２１】
その音声通信プログラムにおいて、通信装置（１）は前記ネットワークを介して通信制御信号（Ｓ３６、Ｓ４１）を受信するステップと、前記通信制御信号（Ｓ３６、Ｓ４１）を処理部に出力するステップと、前記処理部が、前記出力に応答して前記データ送信用信号線（１５２）の通信状況を検出するステップと、前記データ送信用信号線が通信継続中の場合、前記通信装置（１）は前記他の信号線を使用して前記通信制御信号（Ｓ３６、Ｓ４１）を前記端末（２）に通知するステップとを具備する方法をコンピュータで実行可能な音声通信プログラムを用いて音声通信システムを運用する。
【００２２】
その音声通信プログラムにおいて、前記処理部は、前記出力に応答して前記データ送信用信号線（１５２）と前記データ受信用信号線（１５１）の各々の通信状況を検出するステップと、前記検出の結果、前記データ送信用信号線（１５２）と前記データ受信用信号線（１５１）の各々が前記端末（２）と通信継続中の場合、前記ネットワークを介して受信した通信制御信号（Ｓ３６、Ｓ４１）を、前記他の信号線を使用して前記端末（２）に通知するステップとを具備する方法をコンピュータで実行可能な音声通信プログラムを用いて音声通信システムを運用する。
【００２３】
その音声通信プログラムにおいて、前記データ送信用信号線（１５２）と前記データ受信用信号線（１５１）の少なくとも一方が前記端末（２）と通信継続中に前記他の信号線を使用して送信された通信制御信号（Ｓ３６、Ｓ４１）を受信するステップと、前記受信に応答して、前記ネットワークを介して送受信される音声通信データの通信経路の確立を制御するステップとを具備する方法をコンピュータで実行可能な音声通信プログラムを用いて音声通信システムを運用する。
【００２４】
その音声通信プログラムにおいて、前記通信装置（１）は、前記通信制御信号（Ｓ３６、Ｓ４１）をＣＤ信号線を使用して前記端末（２）に通知するステップとを具備する方法をコンピュータで実行可能な音声通信プログラムを用いて音声通信システムを運用する。
【００２５】
その音声通信プログラムにおいて、前記通信装置（１）は、前記通信制御信号（Ｓ３６、Ｓ４１）を前記ＣＤ信号線を使用して前記端末（２）に通知するステップと、他の通信制御信号（Ｓ３６、Ｓ４１）を前記ＤＳＲ信号線を使用して前記端末（２）に通知するステップとを具備する方法をコンピュータで実行可能な音声通信プログラムを用いて音声通信システムを運用する。
【００２６】
その音声通信プログラムにおいて、前記通信制御信号（Ｓ３６、Ｓ４１）が相手応答であり、前記他の通信制御信号（Ｓ３６、Ｓ４１）が相手切断であるコンピュータで実行可能な音声通信プログラムを用いて音声通信システムを運用する。
【００２７】
その音声通信プログラムにおいて、前記相手応答を前記ＣＤ信号線を使用して前記端末（２）に通知するステップと、前記相手切断を前記ＤＳＲ信号線を使用して前記端末（２）に通知するステップと、前記相手応答および前記相手切断の少なくとも一方の受信に応答して前記音声データの送受信に使用される通信経路の確立を制御するステップとを具備する方法をコンピュータで実行可能な音声通信プログラムを用いて音声通信システムを運用する。
【発明の効果】
【００２８】
本発明は、シリアルインターフェースのデータ送受信に使用される信号線が占有状態であっても、音声通信に必要な呼制御信号の送受信が可能な音声通信システムの実現に効果がある。
【発明を実施するための最良の形態】
【００２９】
以下に図面を用いて本発明を実施する最良の形態について述べる。
【００３０】
（実施の形態の構成）
図１は本発明の音声通信に用いられる音声入出力モジュール２と通信モジュール１の構成を示すブロック図である。図１に示す構成は、本実施の形態の受信側の構成を示したものであるが、これは、本実施の形態における構成を受信機能のみに限定することを意味するものではない。図１を参照すると、本発明の（名称）は通信モジュール１と音声入出力モジュール２で構成され、各々はシリアルインターフェース（１５、２１）を介して接続される。
【００３１】
通信モジュール１はさらに、無線電波アンテナ１１と無線回路部１２と通信処理部１３と中央演算処理装置１４とシリアルインターフェース１５と記憶部１６で構成され、音声入出力モジュール２はさらにシリアルインターフェース２１と音声符号化・復号化アプリケーション２２と音声出力装置２３と音声入力装置２４と中央演算処理装置２５と記憶部２６とで構成される。
【００３２】
通信モジュール１は、ネットワークを介して音声データの送受信が可能なデータ通信機能ブロックである。無線電波を用いた情報通信が可能であり、情報通信機能を有していない音声入出力モジュール２に情報通信機能を提供する。通信モジュール１を接続された音声入出力モジュール２は、音声入出力モジュール２の利用者が発声した音声などを通信モジュール１に備えられた情報通信機能を使用することで、ネットワークを介して所定の宛先へ送信することが可能になる。
【００３３】
通信モジュール１は、図１に示されるように、シリアルインターフェース１５を介して音声入出力モジュール２と接続される。音声入出力モジュール２から出力された符号化音声データを入力され、その符号化音声データをネットワークを介して接続された他の端末に送信する機能を有する。また、通信モジュール１はネットワークを介して他の端末から送信された符号化音声データを受信しシリアルインターフェース１５を介して音声入出力モジュール２に出力する。
【００３４】
無線電波アンテナ１１は、情報通信ネットワークを介して送信された符号化音声データを受信し、また、符号化音声データを情報通信ネットワークを介して送信する送受信機能ブロックである。無線電波を送受信する機能を有し、ネットワークを介して無線電波を用いて送信された符号化音声データを受信し、無線回路部１２に出力する。また、音声入出力モジュール２から出力され無線回路部１２で無線通信可能な形式に形式変換された符号化音声データを無線電波アンテナ１１が接続するネットワークに出力する。
【００３５】
無線回路部１２は、無線回路ブロックである。無線電波アンテナ１１が受信した無線電波信号を通信モジュール１で情報処理が可能なデジタル信号に変換する。また、無線回路部１２は符号化音声データの送信時に、通信処理部１３から出力された符号化音声データのデジタル信号を無線電波で出力できる信号形式に変換し、無線電波アンテナ１１に出力する。
【００３６】
通信処理部１３は情報処理機能ブロックである。無線回路部１２から出力されたデジタル信号に変換された符号化音声データをシリアルインターフェース１５を介して音声入出力モジュール２に出力する。無線回路部１２から出力された符号化音声データは複数のフレームが一つのまとまりになったフレーム群で出力される。通信処理部１３はフレーム群を各々の符号化音声データにするために必要な情報処理を行う。
【００３７】
中央演算処理装置１４は、演算処理機能ブロックである。通信処理部１３及びシリアルインターフェース１５と接続し、通信処理部１３が無線回路部１２から出力された符号化音声データのデータ伝送エラーの判定に必要な演算処理や、音声データ通信継続中に受信した通信制御信号をシリアルインターフェース１５から出力するときに使用する信号線を決定する演算処理を行う。
【００３８】
シリアルインターフェース１５は、音声入出力モジュール２と接続する接続機能ブロックである。ＰＤＡ（Personal Digital Assistant）等の携帯情報端末に付属のカードスロット（図示せず）を介して音声入出力モジュール２と接続するための汎用性のある接続端子を有し、その接続端子を介して音声入出力モジュール２のシリアルインターフェース２１と物理的に接続し情報通信を行う。シリアルインターフェース１５は通信処理部１３から出力された音声データや通信制御信号を中央演算処理装置１４からの指示に対応してシリアルインターフェース２１に出力する。
【００３９】
記憶部１６は、記憶する情報の書き換えが可能な磁気記憶媒体である。中央演算処理装置１４に接続され、ネットワークを介して通信モジュール１が受信した通信制御信号を音声入出力モジュール２に通知するために、どの信号線を使用するかを示す使用信号線情報を記憶する。中央演算処理装置１４は通信処理部１３が行った通信処置結果に応答して、ネットワークを介して受信した通信制御情報を音声入出力モジュール２に通知するために記憶部１６を検索する。この検索によって検出された記憶部１６に記憶されている使用信号線情報と通信処理部１３が行った通信処理の結果、及びシリアルインターフェース１５が有する複数の信号線の占有状態に基づいて、音声入出力モジュール２に通信制御信号を通知するために使用する信号線を決定する。
【００４０】
音声入出力モジュール２は、情報通信機能ブロックを外部接続することが可能な情報処理端末である。ネットワークを介して他の端末から送信された符号化された音声データ４を復号化し音声出力装置２３から出力する。図２を参照すると、音声入出力モジュール２はシリアルインターフェース２１を介して通信モジュール１と接続される。シリアルインターフェース２１は通信モジュール１が受信した音声データをシリアルインターフェース１５介して入力され、可聴な音声に復号して音声出力装置２３から出力する。また、音声入力装置２４から入力された音声をネットワークで送受信可能なデータ形式に符号化してシリアルインターフェース２１を介して１に出力する。
【００４１】
シリアルインターフェース２１は、通信モジュール１と接続する接続機能ブロックである。ＰＤＡ（Personal Digital Assistant）等の携帯情報端末に付属のカードスロット（図示せず）に代表される外部装置の接続機能を有し、通信モジュール１が音声入出力モジュール２と接続するための汎用性のある接続端子を用いて接続が行われる。シリアルインターフェース２１は、その接続端子を介して１のシリアルインターフェース１５と物理的に接続し情報通信を行う。
【００４２】
音声符号化・復号化アプリケーション２２は、音声デコーダ２２ａと音声エンコーダ２２ｂとを備える音声符号化・復号化機能ブロックである。通信モジュール１から出力され音声データの復号化処理を行う。また、音声入力装置２４を用いて入力された音声を符号化する符号化処理を行う。音声デコーダ２２ａは、符号化された音声データを復号化する復号化機能ブロックである。通信モジュール１から出力された音声データを入力され、その符号化音声データの復号化を行い、音声出力装置２３に出力する。音声エンコーダ２２ｂは、入力された音声を符号化する符号化機能ブロックである。音声入力装置２４から出力された音声データを符号化する。
【００４３】
音声出力装置２３は、音声出力機能ブロックである。電気信号を音声信号に変換して出力する機能を有する。音声出力装置２３は音声符号化・復号化アプリケーション２２から出力された復号化された音声データをアナログ電気信号に変換し、さらにその変換されたアナログ電気信号を音声に変換して出力する。
【００４４】
音声入力装置２４は、音声入力機能ブロックである。入力された音声を電気信号に変換する機能を有する。音声入力装置２４は電気信号に変換された音声を音声データとして音声符号化・復号化アプリケーション２２に出力する。
【００４５】
中央演算処理装置２５は、演算処理機能ブロックである。シリアルインターフェース２１と音声符号化・復号化アプリケーション２２と記憶部２５とに接続し、通信モジュール１から送信される通信制御信号をシリアルインターフェース２１が受信した時に、受信した信号が通常のデータ通信で使用される信号なのか、データ送受信用信号線が占有状態であるために、データ送受信信号線以外の信号線を使用して通知された通信制御信号なのかを判定するための演算処理を行う。またシリアルインターフェース２１が受信した信号の受信に応答して、記憶部２６を検索し、その検索の結果検出した信号線設定情報とシリアルインターフェース２１の信号線の占有状態に対応して、音声入出力モジュールと通信モジュールとの通信経路をどのように確立するかを演算処理により求め、その処理結果に対応して通信モジュール１と音声入出力モジュール２の通信経路を確立する。
【００４６】
記憶部２６は、記憶する情報の書き換えが可能な磁気記憶媒体である。通信モジュール１から送信される通信制御信号を受信するシリアルインターフェース２１が有する信号線の情報を記憶し、通信モジュール１からシリアルインターフェース１５のデータ送受信信号線以外の信号線を介して送信された信号が、通常のデータ通信で使用される信号なのか、データ送受信用信号線が占有状態であるために、データ送受信信号線以外の信号線を使用して通知された通信制御信号なのかを判定するための信号線設定情報を記憶する。
【００４７】
図２は、本実施の形態におけるシリアルインターフェース（１５、２１）の構成を示した図である。図２を参照すると、通信モジュール側のシリアルインターフェース１５は、通信モジュール側ＲＸ信号線１５１、通信モジュール側ＴＸ信号線１５２、通信モジュール側ＤＴＲ信号線１５３、通信モジュール側ＤＳＲ信号線１５４、通信モジュール側ＣＤ信号線１５５で構成される。音声入出力側のシリアルインターフェース２１は、音声入出力モジュール側ＴＸ信号線２１１、音声入出力モジュール側ＲＸ信号線２１２、音声入出力モジュール側ＤＴＲ信号線２１３、音声入出力モジュール側ＤＳＲ信号線２１４、音声入出力モジュール側ＣＤ信号線２１５で構成される。
【００４８】
音声入出力モジュール側ＴＸ信号線２１１は通信モジュール側ＲＸ信号線１５１と接続し、音声入出力モジュール側ＲＸ信号線２１２は通信モジュール側ＴＸ信号線１５２と接続し、通信モジュール側ＤＴＲ信号線１５３は音声入出力モジュール側ＤＴＲ信号線２１３と接続し、通信モジュール側ＤＳＲ信号線１５４は音声入出力モジュール側ＤＳＲ信号線２１４と接続し、通信モジュール側ＣＤ信号線１５５は音声入出力モジュール側ＣＤ信号線２１５と接続する。
【００４９】
通信モジュール側ＲＸ信号線１５１は、通信モジュール側シリアルインターフェース１５のデータ受信信号線である。通信モジュールがネットワークを介して送信する通信データを、音声入出力モジュール側ＴＸ信号線２１１から受信する。通信モジュール側ＴＸ信号線１５２は、通信モジュール側シリアルインターフェース１５のデータ送信信号線である。通信モジュールがネットワークを介して受信した通信データを、音声入出力モジュール側ＲＸ信号線２１２へ送信する。
【００５０】
通信モジュール側ＤＴＲ信号線１５３は、通信モジュール側シリアルインターフェース１５のデータ端末レディ（Data Terminal Ready）である。通信モジュールが音声入出力モジュールと送受信可能であることを音声入出力モジュールに伝える信号線である。
【００５１】
通信モジュール側ＤＳＲ信号線１５４は、通信モジュール側シリアルインターフェース１５のデータセットレディ（Data Set Ready）である。通信モジュールが送受信可能かどうかを音声入出力モジュールに伝える信号線である。
【００５２】
通信モジュール側ＣＤ信号線１５５は、通信モジュール側シリアルインターフェース１５のデータキャリア検出信号線である。
【００５３】
音声入出力モジュール側ＴＸ信号線２１１は、音声入出力モジュール側シリアルインターフェース２１のデータ送信信号線である。音声入出力モジュールがネットワークを介して送信する通信データを、通信モジュール側ＲＸ信号線１５１へ送信する。音声入出力モジュール側ＲＸ信号線２１２は、音声入出力モジュール側シリアルインターフェース２１のデータ受信信号線である。通信モジュールがネットワークを介して受信した通信データを、通信モジュール側ＴＸ信号線１５２から受信する。
【００５４】
音声入出力モジュール側ＤＴＲ信号線２１３は、音声入出力モジュール側シリアルインターフェース２１のデータ端末レディ（Data Terminal Ready）である。音声入出力モジュールが通信モジュールと送受信可能であることを通信モジュールに伝える信号線である。
【００５５】
音声入出力モジュール側ＤＳＲ信号線２１４は、音声入出力モジュール側シリアルインターフェース２１のデータセットレディ（Data Set Ready）である。音声入出力モジュールが送受信可能かどうかを通信モジュールに伝える信号線である。
【００５６】
音声入出力モジュール側ＣＤ信号線２１５は、音声入出力モジュール側シリアルインターフェース２１のデータキャリア検出信号線である。
【００５７】
（実施の形態の動作）
以下に図面を用いて発明の実施の形態の動作について述べる。図３は、本発明を実施する最良の形態の通信システムにおける、通信開始から通信確立までを示すシーケンス図である。図３を参照すると、通信モジュール１を接続された携帯情報端末に備えられた音声入出力モジュール２は、Ｓ１０１において、音声通信が発生するための発信操作の待機状態を保持する。待機状態中の携帯情報端末は、その携帯情報端末に備えられた情報表示画面に音声通信待機中であることを表示する。
【００５８】
待機状態中の携帯情報端末は、Ｓ１０２において携帯情報端末に備えられた操作部（図示せず）を使用して発信操作が行われると、その携帯情報端末に備えられた音声入出力モジュール２は、その発信操作に応答してＡＴＤ電話番号（Ｓ３１）を通信モジュール１に出力する。ＡＴＤ電話番号（ＡＴコマンド）を通信モジュール１に出力した音声入出力モジュール２は、ＡＴＤ電話番号（ＡＴコマンド）の出力完了通知を携帯情報端末に通知し、その通知を受け取った携帯情報端末は、受け取った通知に応答して発信中を示す情報をその携帯情報端末に備えられた情報表示画面に表示する。
【００５９】
音声入出力モジュール２から出力されたＡＴＤ電話番号（ＡＴコマンド）を入力した通信モジュール１は、そのＡＴＤ電話番号（ＡＴコマンド）の入力に応答して通信モジュール１と基地局ＣＳとの相互間の論理的な通信路を確立するために基地局ＣＳに呼設定（Ｓ３２）を送信する。その呼設定（Ｓ３２）を受信した基地局ＣＳは、通信モジュール１と基地局ＣＳとの相互間の論理的な通信路を確立を受け付けたことを通知する呼設定受付（Ｓ３３）を通信モジュール１に送信する。また、基地局ＣＳは呼設定の受信の応答して、ＡＴＤ電話番号（ＡＴコマンド）に示される宛先に、相手応答の返信を要求する。
【００６０】
基地局ＣＳから送信された呼設定受付（Ｓ３３）を受信した通信モジュール１は、その呼設定受付（Ｓ３３）の受信に応答して通信モジュール１と基地局ＣＳとの受話パスをオンライン状態にし、同時にＣＡＬＬ  ＰＲＯＣ（Ｓ３４）を音声入出力モジュール２に送信する。
【００６１】
通信モジュール１から送信されたＣＡＬＬ  ＰＲＯＣ（Ｓ３４）を受信した音声入出力モジュール２は、その受信したＣＡＬＬ  ＰＲＯＣ（Ｓ３４）に応答して音声入出力モジュール２と通信モジュール１との受話パスをオンにする。通信モジュール１と基地局ＣＳの受話パスをオンライン状態にし、音声入出力モジュール２と通信モジュール１との受話パスをオンにすることで、音声入出力モジュール２は基地局ＣＳから送信される音声データの受信可能な状態になる。
【００６２】
受話パスをオンにした音声入出力モジュール２は、音声入出力モジュール側シリアルインターフェース２１のデータ受信信号線である音声入出力モジュール側ＲＸ信号線２１２が使用中となる。通信モジュール１は、ネットワークを介して受信した音声通信データを通信モジュール側ＴＸ信号線１５２から送信する。通信モジュール側ＴＸ信号線１５２から送信された音声通信データは音声入出力モジュール側ＲＸ信号線２１２で受信され、通常のデータ通信が確立する。
【００６３】
音声通信データ受信中の音声入出力モジュール側ＲＸ信号線２１２はデータ占有状態になり、通信モジュール側ＴＸ信号線１５２から送信された音声通信データ以外の通信データは通信を中断しない限り受信できない状態になる。基地局ＣＳは呼設定の受信の応答して、ＡＴＤ電話番号（ＡＴコマンド）送信した、相手応答返信要求に応答して返信された相手応答（Ｓ３６）を通信モジュール１に送信する。
【００６４】
基地局ＣＳから送信された相手応答（Ｓ３６）を受信した通信モジュール１の通信処理部１３は、その相手応答（Ｓ３６）を受信したことを中央演算処理装置１４に通知する。中央演算処理装置１４は通信処理部１３からの通知に応答して記憶部１６に記憶された使用信号線情報を検索する。その検索の結果検出された使用信号線情報とシリアルインターフェース１５の複数の信号線の占有状態とに対応して、相手応答受信通知（Ｓ３７）の通知に使用する信号線を決定する。図３に示す通信状態の場合、通信モジュール１は中央演算処理装置１４の決定に応答して音声入出力モジュール２に通信モジュール側ＣＤ信号線１５５を使用して相手応答受信通知（Ｓ３７）を送信する。また、通信モジュール側ＣＤ信号線１５５を使用して相手応答受信通知（Ｓ３７）を送信した通信モジュール１は、その送信に応答して通信モジュール１と基地局ＣＳとの送受話パスをオン状態にする。
【００６５】
通信モジュール側ＣＤ信号線１５５から送信されたその相手応答受信通知（Ｓ３７）を受信した音声入出力モジュール２のシリアルインターフェース２１は、その受信に応答して相手応答受信通知（Ｓ３７）を受信したことを音声入出力モジュール２の中央演算処理装置２５に通知する。中央演算処理装置２５は、シリアルインターフェース２１からの通知に応答して記憶部２６に記憶された信号線設定情報を検索し、その検索の結果検出した信号線設定情報とシリアルインターフェース２１の複数の信号線の占有状態とに対応してして、受信した信号が通信制御信号なのか、通常通信用の信号なのかを判断するための演算処理を行う。中央演算処理装置２５はその演算処理の処理結果を音声符号化・復号化アプリケーション２２に出力し、音声符号化・復号化アプリケーション２２は出力された処理結果に対応して通信モジュール１と音声入出力モジュール２の送受話パスをオンにする。
【００６６】
基地局ＣＳから送信された相手応答（Ｓ３６）を受信した通信モジュール１が、その受信に応答して基地局ＣＳと通信モジュール１との送受話パスをオン状態にする。その相手応答（Ｓ３６）に応答して通信モジュール１から送信された相手応答受信通知（Ｓ３７）を受信した音声入出力モジュール２は、通信モジュール１と音声入出力モジュール２との送受話パスをオン状態にする。通信モジュール１と基地局ＣＳとの送受話パスをオンライン状態にし、通信モジュール１と音声入出力モジュール２との送受話パスをオンライン状態にすることで、音声入出力モジュール２は基地局ＣＳから送信される音声データの受信と、音声入出力モジュールから基地局への音声データの送信とが可能になる。
【００６７】
基地局ＣＳとの音声データの送受信が可能なった音声入出力モジュール２は、音声入出力モジュールの送受話パスにオン状態にするのと同時に、通信モジュール１から送信された相手応答受信通知（Ｓ３７）の受信に応答して、その携帯情報端末に備えられた情報表示画面に音声通信中であることを表示する。
【００６８】
通信モジュール１が受信した相手応答（Ｓ３６）を通信モジュール側ＣＤ信号線１５５を介して通知することで、データ送受信用信号線が占有状態の場合であっても呼制御信号の送受信が可能になり、音声通信データ送受信を中断させること無く相手応答を音声入出力モジュール２に通知することが可能になる。
【００６９】
図４は、本発明を実施する最良の形態の通信システムにおける、基地局ＣＳと携帯情報端末との音声通信確立状態から、待機状態へ移行する動作を示すシーケンス図である。図４を参照すると、通信モジュール１を接続された携帯情報端末に備えられた音声入出力モジュール２は、Ｓ２０１において、音声通信確立状態であ、音声通信を継続中である。音声通信継続中の携帯情報端末は、その携帯情報端末に備えられた情報表示画面に音声通信中であることを表示する。
【００７０】
音声通信中の音声入出力モジュール２は、音声入出力モジュール側ＴＸ信号線２１１と音声入出力モジュール側ＲＸ信号線２１２の各々がデータ占有状態にあり、音声入出力モジュール側ＴＸ信号線２１１と接続する通信モジュール側ＲＸ信号線１５１と、音声入出力モジュール側ＲＸ信号線２１２と接続する通信モジュール側ＴＸ信号線１５２も当然データ占有状態にある。
【００７１】
音声通信中にネットワークを介して相手切断（Ｓ４１）を受信した基地局ＣＳは、受信した相手切断（Ｓ４１）を通信モジュール１に送信する。基地局ＣＳから送信された相手切断（Ｓ４１）を受信した通信モジュール１は、その受信に応答してオン状態にある通信モジュールと基地局ＣＳとの送受話パスをオフにする。また、通信モジュール１は、相手切断（Ｓ４１）の受信に応答して相手切断（Ｓ４１）を受信したことを音声入出力モジュール２に伝えるために、相手切断受信通知（Ｓ４２）を通信モジュール側ＤＳＲ信号線１５４を使用して音声入出力モジュール２に送信する。
【００７２】
通信モジュール１から送信された相手切断受信通知（Ｓ４２）を受信した音声入出力モジュール２は、その受信に応答して音声入出力モジュール２と通信モジュール１との送受話パスをオフ状態にする。また音声入出力モジュール２は、相手切断受信通知（Ｓ４２）の受信に応答して、その携帯情報端末に備えられた情報表示画面に表示されている音声通信中を示す表示情報を、音声通信待機中である表示情報に変更し表示する。
【００７３】
音声通信中に通信モジュール１が受信した相手切断（Ｓ４２）を通信モジュール側ＤＳＲ信号線１５４を介して送信することで、データ送受信用信号線が占有状態の場合であっても呼制御信号の送受信が可能になり、データ送受信を中断させること無く相手切断を音声入出力モジュール２に通知することが可能になる。
【００７４】
以上述べてきた本発明を実施する最良の形態における相手応答受信通知（S３７）は、通信モジュール側ＣＤ信号線１５５を介して音声入出力モジュールに通知される。また、相手切断受信通知（Ｓ４２）は通信モジュール側ＤＳＲ信号線１５４を使用して音声入出力モジュールに通知される。通信モジュールから通知される相手応答受信通知（S３７）と相手切断受信通知（Ｓ４２）に使用される信号線は、通信モジュール側ＣＤ信号線１５５と、通信モジュール側ＤＳＲ信号線１５４のみに限定されない。本発明に使用されるシリアルインターフェースが、通信モジュール側ＣＤ信号線１５５と、通信モジュール側ＤＳＲ信号線１５４以外にも、通信モジュール側ＲＴＳ信号線、通信モジュール側ＣＴＳ信号線を有している場合、相手応答受信通知（S３７）と相手切断受信通知（Ｓ４２）は上述の４信号線の任意の信号線を使用して通知可能である。
【００７５】
また、更に多くの信号線を有するシリアルインターフェースを使用した場合でも、任意の信号線を使用して相手応答受信通知（S３７）と相手切断受信通知（Ｓ４２）を音声入出力モジュール２に通知することが可能である。そのような場合において、通信モジュール１の記憶部１６に記憶された使用信号線情報と音声入出力モジュール２の記憶部２６に記憶された信号線設定情報を変更することで、相手応答受信通知（S３７）と相手切断受信通知（Ｓ４２）に使用される信号線を決定することが可能であり、物理的な接続変更を行うことなく本発明の実現が可能になる。
【図面の簡単な説明】
【００７６】
【図１】図１は、本発明を実施する最良の形態の構成を示すブロック図である。
【図２】図２は、本発明を実施する最良の形態におけるシリアルインターフェースの構成を示した図である
【図３】図３は、本発明を実施する最良の形態の通信システムにおける、通信開始から通信確立までを示すシーケンス図である。
【図４】図４は、本発明を実施する最良の形態の通信システムにおける、通信確立から待機状態までを示すシーケンス図である。
【符号の説明】
【００７７】
１        通信モジュール
１１      無線電波アンテナ
１２      無線回路部
１３      通信処理部
１４      中央演算処理装置
１５      シリアルインターフェース
１５１      通信モジュール側ＲＸ信号線
１５２      通信モジュール側ＴＸ信号線
１５３      通信モジュール側ＤＴＲ信号線
１５４      通信モジュール側ＤＳＲ信号線
１５５      通信モジュール側ＣＤ信号線
１６      記憶部
２        音声入出力モジュール
２１      シリアルインターフェース
２１１      音声入出力モジュール側ＴＸ信号線
２１２      音声入出力モジュール側ＲＸ信号線
２１３      音声入出力モジュール側ＤＴＲ信号線
２１４      音声入出力モジュール側ＤＳＲ信号線
２１５      音声入出力モジュール側ＣＤ信号線
２２      音声符号化・復号化アプリケーション
２２ａ    音声デコーダ
２２ｂ    音声エンコーダ
２３      音声出力装置
２４      音声入力装置
２５      中央演算処理装置
２６      記憶部
ＣＳ      基地局
【図１】
2005045667.tif 000003
【図２】
2005045667.tif 000004
【図３】
2005045667.tif 000005
【図４】
2005045667.tif 000006